(57)【要約】【課題】  商品としての価値を低下させることなく、使い勝手を向上させる通信システム及び通信端末を提供する。【解決手段】  通信システム１０は、無線の第１の伝送路３００を介して情報を送信する第１の通信端末１００と、第１の伝送路３００を介して情報を受信すると共に、第１の伝送路３００より通信容量が大きい有線又は無線の第２の伝送路４００を介して情報を送信する第２の通信端末２００とを含む。第１の通信端末１００が、送信すべき情報の情報量を圧縮して圧縮後の情報を第２の通信端末２００に送信する手段を有する。第２の通信端末２００が、第１の通信端末１００からの情報を伸張して伸張後の情報を第２の伝送路３００を介して送信する手段を有する。【選択図】      図１
2007074509.tif 000002
【特許請求の範囲】
【請求項１】
無線の第１の伝送路を介して情報を送信する第１の通信端末と、
前記第１の伝送路を介して情報を受信すると共に、前記第１の伝送路より通信容量が大きい有線又は無線の第２の伝送路を介して情報を送信する第２の通信端末とを含み、
前記第１の通信端末が、送信すべき情報の情報量を圧縮して圧縮後の情報を前記第２の通信端末に送信する手段を有し、
前記第２の通信端末が、前記第１の通信端末からの情報を伸張して伸張後の情報を前記第２の伝送路を介して送信する手段を有することを特徴とする通信システム。
【請求項２】
請求項１において、
前記第１の通信端末が、
送信すべき情報を生成する送信情報生成手段と、
前記送信情報生成手段によって生成された情報の情報量を圧縮する情報圧縮手段と、
前記情報圧縮手段により圧縮された情報を前記第１の伝送路を介して送信する第１の送信手段とを含むことを特徴とする通信システム。
【請求項３】
請求項１又は２において、
前記第２の通信端末が、
前記第１の伝送路を介して前記第１の通信端末からの情報の受信処理を行う第１の受信手段と、
前記第１の受信手段によって受信処理された情報を伸張する情報伸張手段と、
前記情報伸張手段によって伸張された情報を前記第２の伝送路を介して送信するための送信処理を行う第２の送信手段とを含むことを特徴とする通信システム。
【請求項４】
請求項３において、
前記情報伸張手段が、
前記第１の受信手段によって受信処理されたテキスト情報を音声情報に変換し、
前記第２の送信手段が、
前記第２の伝送路を介して前記音声情報の送信処理を行うことを特徴とする通信システム。
【請求項５】
請求項３において、
前記第１の通信端末が、
所与の座標系において指定された座標情報を前記第１の伝送路を介して送信し、
前記第２の通信端末が、
前記情報伸張手段において前記座標情報に基づいて生成した画像の情報を前記第２の伝送路を介して送信することを特徴とする通信システム。
【請求項６】
請求項３において、
前記第１の通信端末が、
前記送信すべき情報として生体情報を検出し、該生体情報を所定時間内で集計することで情報量を圧縮し、
前記第２の通信端末が、
前記情報伸張手段において前記第１の通信端末からの情報に時間情報を付加することで情報の伸張を行うことを特徴とする通信システム。
【請求項７】
請求項１乃至６のいずれかにおいて、
前記第１の伝送路における伝送到達距離の最大値が、前記第２の伝送路における伝送到達距離の最大値より小さいことを特徴とする通信システム。
【請求項８】
送信すべき情報を生成する送信情報生成手段と、
前記送信情報生成手段によって生成された情報の情報量を圧縮する情報圧縮手段と、
無線の第１の伝送路を介して、前記情報圧縮手段により圧縮された情報を、前記第１の伝送路より通信容量が大きい有線又は無線の第２の伝送路を介して情報を送信する端末に対して送信するための送信処理を行う第１の送信手段とを含むことを特徴とする通信端末。
【請求項９】
請求項７において、
前記情報圧縮手段が、
所与の座標系において指定された座標情報を抽出することで、送信すべき情報の情報量を圧縮することを特徴とする通信端末。
【請求項１０】
請求項７において、
前記情報圧縮手段が、
検出された生体情報を所定時間内で集計することで情報量を圧縮することを特徴とする通信端末。
【請求項１１】
無線の第１の伝送路を介して端末からの情報の受信処理を行う第１の受信手段と、
前記第１の受信手段によって受信処理された情報を伸張する情報伸張手段と、
前記情報伸張手段によって伸張された情報を、前記第１の伝送路より通信容量が大きい有線又は無線の第２の伝送路を介して送信するための送信処理を行う第２の送信手段とを含むことを特徴とする通信端末。
【請求項１２】
請求項１１において、
前記情報伸張手段が、
前記第１の受信手段によって受信処理されたテキスト情報を音声情報に変換し、
前記第２の送信手段が、
前記第２の伝送路を介して前記音声情報の送信処理を行うことを特徴とする通信端末。
【請求項１３】
請求項１１において、
前記情報伸張手段が、
所与の座標系において指定された座標情報に基づいて生成した画像の情報を前記第２の伝送路を介して送信することを特徴とする通信端末。
【請求項１４】
請求項１１において、
前記情報伸張手段が、
検出された生体情報を所定時間内で集計することで情報量が圧縮された情報に、時間情報を付加することで情報の伸張を行うことを特徴とする通信端末。
【請求項１５】
請求項８乃至１４のいずれかにおいて、
前記第１の伝送路における伝送到達距離の最大値が、前記第２の伝送路における伝送到達距離の最大値より小さいことを特徴とする通信端末。
【発明の詳細な説明】
【技術分野】
【０００１】
本発明は、通信システム及び通信端末に関する。
【背景技術】
【０００２】
近年の情報処理技術、通信技術や実装技術の進歩によって、携帯可能な電子機器に種々の機能を具備させることができるようになっている。このような電子機器として、例えばウェアラブルコンピュータは、人間が身に付けて利用することを目的としている。
【０００３】
例えば特許文献１には、携帯可能な電子機器を組み合わせて相互にリンクさせ、ローカルなネットワークを形成する使用形態が開示されている。
【特許文献１】特開２００２−９８７９号公報
【発明の開示】
【発明が解決しようとする課題】
【０００４】
しかしながら、上述の機能は、携帯可能な電子機器の本来の機能に付加されるものである。従って、特許文献１に開示されているようにネットワークを形成できる機能を電子機器に備えさせることができたとしても、該電子機器を購入する消費者にとって商品としての価値を低下させるものであっては意味がない。例えば電子機器として腕時計を考えた場合、腕時計に通信機能を持たせることができたとしても、腕時計の厚みや重さが消費者にとって耐えられない場合には、その腕時計の商品としての価値が低下してしまうことになる。これは、軽量且つ小型化により携帯性を特徴とする電子機器では、顕著となる。
【０００５】
このように電子機器の商品としての価値を低下させずに、使い勝手を向上させた通信システムを構築できることが望ましい。
【０００６】
本発明は、以上のような技術的課題に鑑みてなされたものであり、その目的とするところは、商品としての価値を低下させることなく、使い勝手を向上させる通信システム及び通信端末を提供することにある。
【課題を解決するための手段】
【０００７】
上記課題を解決するために本発明は、
無線の第１の伝送路を介して情報を送信する第１の通信端末と、
前記第１の伝送路を介して情報を受信すると共に、前記第１の伝送路より通信容量が大きい有線又は無線の第２の伝送路を介して情報を送信する第２の通信端末とを含み、
前記第１の通信端末が、送信すべき情報の情報量を圧縮して圧縮後の情報を前記第２の通信端末に送信する手段を有し、
前記第２の通信端末が、前記第１の通信端末からの情報を伸張して伸張後の情報を前記第２の伝送路を介して送信する手段を有する通信システムに関係する。
【０００８】
また本発明に係る通信システムでは、
前記第１の通信端末が、
送信すべき情報を生成する送信情報生成手段と、
前記送信情報生成手段によって生成された情報の情報量を圧縮する情報圧縮手段と、
前記情報圧縮手段により圧縮された情報を前記第１の伝送路を介して送信する第１の送信手段とを含むことができる。
【０００９】
また本発明に係る通信システムでは、
前記第２の通信端末が、
前記第１の伝送路を介して前記第１の通信端末からの情報の受信処理を行う第１の受信手段と、
前記第１の受信手段によって受信処理された情報を伸張する情報伸張手段と、
前記情報伸張手段によって伸張された情報を前記第２の伝送路を介して送信するための送信処理を行う第２の送信手段とを含むことができる。
【００１０】
また本発明に係る通信システムでは、
前記情報伸張手段が、
前記第１の受信手段によって受信処理されたテキスト情報を音声情報に変換し、
前記第２の送信手段が、
前記第２の伝送路を介して前記音声情報の送信処理を行うことができる。
【００１１】
また本発明に係る通信システムでは、
前記第１の通信端末が、
所与の座標系において指定された座標情報を前記第１の伝送路を介して送信し、
前記第２の通信端末が、
前記情報伸張手段において前記座標情報に基づいて生成した画像の情報を前記第２の伝送路を介して送信することができる。
【００１２】
また本発明に係る通信システムでは、
前記第１の通信端末が、
前記送信すべき情報として生体情報を検出し、該生体情報を所定時間内で集計することで情報量を圧縮し、
前記第２の通信端末が、
前記情報伸張手段において前記第１の通信端末からの情報に時間情報を付加することで情報の伸張を行うことができる。
【００１３】
上記のいずれかの発明によれば、第１の通信端末が第１の伝送路を介して情報を送信できる最低限の機能を付加するのみで、例えば第１の通信端末からの情報を見やすく整形する機能は第２の通信端末に行わせることができる。これにより、第１の通信端末は、超低消費電力の通信機能等の必要最小限の機能のみを備えさせるだけでよいので、第１の通信端末の本来の商品としての価値を低下させることなく、使い勝手の良い通信システム及び通信端末を提供できるようになる。
【００１４】
上記のいずれかのによれば、第１の通信端末が第１の伝送路を介して情報の受信を行ったことを通知させたり、或いはその情報量が圧縮された情報の内容を表示させたりするだけの機能を第２の通信端末に備えさせることができる。そして、詳細な情報については第１の通信端末でのみ表示等を行わせることができる。これにより、第１の通信端末は、通知機能等の必要最小限の機能のみを備えさせるだけでよいので、第１の通信端末の本来の商品としての価値を低下させることなく、使い勝手の良い通信システム及び通信端末を提供できるようになる。
【００１５】
また本発明に係る通信システムでは、
前記第１の伝送路における伝送到達距離の最大値が、前記第２の伝送路における伝送到達距離の最大値より小さくてもよい。
【００１６】
本発明によれば、第１の通信端末は超低消費電力の通信機能を備えれば済むため、第１の通信端末の低消費電力化を図り、第１の通信端末の本来の商品としての価値を低下させることなく、使い勝手の良い通信システム及び通信端末を提供できるようになる。
【００１７】
また本発明は、
送信すべき情報を生成する送信情報生成手段と、
前記送信情報生成手段によって生成された情報の情報量を圧縮する情報圧縮手段と、
無線の第１の伝送路を介して、前記情報圧縮手段により圧縮された情報を、前記第１の伝送路より通信容量が大きい有線又は無線の第２の伝送路を介して情報を送信する端末に対して送信するための送信処理を行う第１の送信手段とを含む通信端末に関係する。
【００１８】
また本発明に係る通信端末では、
前記情報圧縮手段が、
所与の座標系において指定された座標情報を抽出することで、送信すべき情報の情報量を圧縮することができる。
【００１９】
また本発明に係る通信端末では、
前記情報圧縮手段が、
検出された生体情報を所定時間内で集計することで情報量を圧縮することができる。
【００２０】
また本発明は、
無線の第１の伝送路を介して端末からの情報の受信処理を行う第１の受信手段と、
前記第１の受信手段によって受信処理された情報を伸張する情報伸張手段と、
前記情報伸張手段によって伸張された情報を、前記第１の伝送路より通信容量が大きい有線又は無線の第２の伝送路を介して送信するための送信処理を行う第２の送信手段とを含む通信端末に関係する。
【００２１】
また本発明に係る通信端末では、
前記情報伸張手段が、
前記第１の受信手段によって受信処理されたテキスト情報を音声情報に変換し、
前記第２の送信手段が、
前記第２の伝送路を介して前記音声情報の送信処理を行うことができる。
【００２２】
また本発明に係る通信端末では、
前記情報伸張手段が、
所与の座標系において指定された座標情報に基づいて生成した画像の情報を前記第２の伝送路を介して送信することができる。
【００２３】
また本発明に係る通信端末では、
前記情報伸張手段が、
検出された生体情報を所定時間内で集計することで情報量が圧縮された情報に、時間情報を付加することで情報の伸張を行うことができる。
【００２４】
また本発明に係る通信端末では、
前記第１の伝送路における伝送到達距離の最大値が、前記第２の伝送路における伝送到達距離の最大値より小さくてもよい。
【発明を実施するための最良の形態】
【００２５】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００２６】
１．  通信システム
図１に、本実施形態の通信システムの構成の概要を示す。
【００２７】
通信システム１０は、大容量通信網１２と、小容量通信網１４とを含む。大容量通信網１２には、有線又は無線の伝送路が形成される。小容量通信網１４には、無線の伝送路が形成される。大容量通信網１２内で形成される伝送路の通信容量は、小容量通信網１４内で形成される伝送路の通信容量より大きい。また大容量通信網１２内で形成される伝送路における伝送到達距離の最大値は、小容量通信網１４内で形成される伝送路における伝送到達距離の最大値より大きい。
【００２８】
小容量通信網１４内では、第１の通信端末（広義には通信端末、端末）１００が、第２の通信端末２００との間で第１の伝送路３００を形成する。また大容量通信網１２内では、第２の通信端末（広義には通信端末、端末）２００が、図示しない端末、サーバ、基地局又は交換機との間で第２の伝送路４００を形成する。
【００２９】
即ち、第１の通信端末１００は、無線の第１の伝送路３００を介して情報を送信する。また第２の通信端末２００は、第１の伝送路３００を介して情報を受信すると共に、第１の伝送路３００より通信容量が大きい有線又は無線の第２の伝送路４００を介して情報を送信する。そして第１の通信端末１００が、送信すべき情報の情報量を圧縮して圧縮後の情報を第２の通信端末２００に送信する手段を有する。また第２の通信端末２００が、第１の通信端末１００からの情報を伸張して伸張後の情報を第２の伝送路４００を介して送信する手段を有するということができる。
【００３０】
通信容量の大きい伝送路を介して情報を送受信する場合、通信端末には高い処理能力が必要となる。一方、通信容量の小さい伝送路を介して情報を送受信する場合、通信端末にはそれほど高い処理能力が必要とされない。そのため、第２の伝送路４００を介して情報を送受信するとき第２の通信端末２００には高い処理能力が必要とされる一方、第１の伝送路３００を介して情報を送信するとき第２の通信端末２００にはそれ程高い処理能力が必要とされない。また第１の通信端末１００もまた、高い処理能力が必要とされない。
【００３１】
更に、伝送路における伝送到達距離の最大値が大きいほど、通信端末の消費電力は大きくなる。一方、伝送路における伝送到達距離の最大値が小さいほど、通信端末の消費電力は小さくなる。そのため、第２の伝送路４００を介して情報を送受信するとき第２の通信端末２００の消費電力が大きくなる一方、第１の伝送路３００を介して情報を送信するとき第１の通信端末１００の消費電力は小さくて済む。
【００３２】
従って、高い処理能力が不要で、弱い電波を送信さえできれば良い第１の通信端末１００は、小型化及び軽量化を図ることができ、携帯型の電子機器として最適なものを提供できるようになる。
【００３３】
図２に、図１の通信システムの使用形態の一例の説明図を示す。
【００３４】
第１の通信端末１００は、例えば脈波や体温等の生体情報を検出する生体情報検出センサや、所定の座標系における座標を指定ためにペン等の形状を有する座標指定手段等の比較的処理能力が低くて済む電子機器を採用できる。この座標指定手段は、ボード上の各位置に座標が割り当てられ、ペンによりボード上の位置を指定することで、該位置に対応した座標情報が得られるようになっている。
【００３５】
また第２の通信端末２００として、携帯電話機、携帯型情報端末（Personal Digital Assistants：ＰＤＡ）、パーソナルコンピュータ等の比較的処理能力が高い電子機器を採用できる。
【００３６】
図２では、第１の通信端末１００として、人間の脈波を検出し、生体情報として送信可能な生体情報検出センサを含む腕時計が採用される例を示している。また第２の通信端末２００として、携帯電話機が採用される例を示している。
【００３７】
情報の送信者５００が所有する第２の通信端末２００としての携帯電話機５１０は、送信者５００が同じく所有する鞄５２０内に収められている。送信者５００の身体には第１の通信端末１００としての生体情報検出センサ５３０が装着されている。第１の通信端末１００が腕時計の場合には送信者５００の腕に装着される。
【００３８】
ここで、生体情報検出センサ５３０は送信者５００の脈波を検出し、例えば１分間の脈拍数や所定時間内の毎分の平均脈拍数という形式で集計することで情報量を脈拍数のみに圧縮（削減）できる。そして、生体情報検出センサ５３０を中心に所定の伝送到達距離内に、携帯電話機５１０が存在する場合、携帯電話機５１０は、第２の伝送路４００を介して脈拍数等の情報を送信できる。この結果、鞄５２０から携帯電話機５１０を取り出して送信者５００が操作等を行うことなく、送信者５００の脈波の情報を第２の伝送路を介して送信できるようになる。従って、送信者５００は、携帯電話機５１０を常時所持しておく必要はなく、送信者５００に関する生体情報を送信できるようになる。
【００３９】
このように、第１の通信端末１００が第１の伝送路３００を介して情報を送信できる最低限の機能を付加するのみで、第１の通信端末１００からの情報を見やすく整形する機能は第２の通信端末２００に行わせる。これにより、第１の通信端末１００（生体情報検出センサ５３０）は、超低消費電力の通信機能等の必要最小限の機能のみを備えさせるだけでよいので、第１の通信端末１００（生体情報検出センサ５３０）の本来の商品としての価値を低下させることなく、使い勝手の良い通信システム及び通信端末を提供できるようになる。
【００４０】
２．  通信端末
図３に、図１の第１の通信端末１００の構成の概要を示すブロック図を示す。
【００４１】
第１の通信端末１００は、送信情報生成部（送信情報生成手段）１１０と、情報圧縮部（情報圧縮手段）１２０と、送信部（第１の送信手段）１３０とを含む。
【００４２】
送信情報生成部１１０は、第１の通信端末１００が送信すべき情報を生成する。情報圧縮部１２０は、送信情報生成部１１０によって生成された情報の情報量を圧縮する。例えば送信情報生成部１１０が、送信すべき情報として生体情報を検出することで該生体情報を送信情報として生成し、情報圧縮部１２０が該生体情報を所定時間内で集計することで情報量を圧縮する。或いは送信情報生成部１１０が、送信すべき情報として、例えば各位置に座標が割り当てられるボード上においてペンで描かれた画像の情報を生成し、該ペンで指定された座標情報を抽出することで情報量を圧縮する。
【００４３】
送信部１３０は、情報圧縮部１２０により圧縮された情報を第１の伝送路３００を介して送信する。即ち、送信部１３０は、送信すべき情報の送信処理を行うことができる。
【００４４】
図４に、図３の第１の通信端末１００の動作フローの一例を示す。
【００４５】
第１の通信端末１００は、図示しない中央演算処理装置（Central Processing Unit：ＣＰＵ）及びメモリを有し、該メモリに記憶されたプログラムを実行するＣＰＵが以下のフローを実現する。
【００４６】
まず所定時間が経過したか否かの監視を行い（ステップＳ１０：Ｎ）、所定時間が経過したとき（ステップＳ１０：Ｙ）、送信情報生成部１１０が生体情報を検出する（ステップＳ１１）。そして、前回検出した生体情報と共に蓄積し、所定時間内の毎分の平均脈拍数を集計することで、送信すべき情報の情報量を圧縮する（ステップＳ１２）。そして再度、生体情報を検出するとき（ステップＳ１３：Ｙ）、ステップＳ１０に戻る。
【００４７】
一方、ステップＳ１３において、再度、生体情報を検出しないとき（ステップＳ１３：Ｎ）、送信部１３０が第１の伝送路３００を介して第１の通信端末１００との間の通信経路の確立を行うための処理を行い（ステップＳ１４）、情報圧縮部１２０において情報量が圧縮された情報を送信情報として第１の伝送路３００を介し第２の通信端末２００に送信する（ステップＳ１５）。
【００４８】
その後、通信処理を終了しないとき（ステップＳ１６：Ｎ）、ステップＳ１０に戻る。通信処理を終了するとき（ステップＳ１６：Ｙ）、一連の処理を終了する（エンド）。
【００４９】
このような処理を行う第１の通信端末１００として、例えば腕時計を採用できる。
【００５０】
図５に、図３の第１の通信端末１００としての腕時計のハードウェア構成例を示す。
【００５１】
腕時計は、生体情報検出センサ５３０、アンテナ５３１、変復調部５３２、表示部５３３、５３４、時計部５３５、制御部５３６を含む。
【００５２】
制御部５３６は、変復調部５３２、表示部５３３、時計部５３５の制御を司る。このような制御部５３６は図示しないＣＰＵ及びメモリを有し、該メモリに記憶されたプログラムを実行するＣＰＵが各部を制御するようになっている。
【００５３】
生体情報検出センサ５３０は、腕時計を装着する腕の表面から脈波を検出できるものや、腕時計を装着する者の指のはら部分から脈拍を検出できるものとすることができる。生体情報検出センサ５３０によって検出された生体情報（脈波に対応したパルス）は、制御部５３６において所定時間内の毎分の平均脈拍数を集計するための情報として用いられる。制御部５３６によって生成された情報は、変復調部５３２によって変調処理された後、アンテナ５３１を介して第２の通信端末２００に送信される。
【００５４】
また第２の伝送路４００からの信号はアンテナ５３１で受信され、変復調部５３２に供給される。この変復調部５３２は、第２の伝送路４００を介してアンテナ５３１から送信する信号の復調処理を行うようになっている。
【００５５】
制御部５３６は、アンテナ５３１を介して受信された信号、又は上述の平均脈拍数を表示部５３３に出力できる。表示部５３３は、液晶表示（Liquid Crystal Display:ＬＣＤ）パネルを有し、制御部５３６からの制御信号に基づいて表示駆動される。
【００５６】
時計部５３５は、時計機能を実現し、秒針、分針、時針の駆動制御、或いは時刻のデジタル表示制御を行う。この場合、表示部５３４において、デジタル表示制御された時刻が表示されるようになっている。表示部５３４は、ＬＣＤパネルを有し、時計部５３５からの制御信号に基づいて表示駆動される。
【００５７】
ここで制御部５１８及び生体情報検出センサ５３０が、図３における送信情報生成部１１０の機能を実現できる。また制御部５１８が、図３における情報圧縮部１２０の機能を実現できる。またアンテナ５３１及び変復調部５３２が、図３における送信部１３０の機能を実現できる。
【００５８】
図６に、図１の第２の通信端末２００の構成の概要を示すブロック図を示す。
【００５９】
第２の通信端末２００は、受信部（第１の受信手段）２１０と、情報伸張部（情報伸張手段）２２０と、送信部（第２の送信手段）２３０とを含む。
【００６０】
受信部２１０は、第１の伝送路３００を介して送信された情報の受信処理を行う。例えば受信部２１０は、第１の伝送路３００を介して送信された信号の増幅処理及び復調処理を行い、送信された情報を抽出する。
【００６１】
情報伸張部２２０は、受信部２１０によって受信処理された情報を伸張する。情報伸張部２２０が行う伸張処理は、第１の通信端末１００における情報圧縮部１２０の圧縮処理に対応している。即ち、情報伸張部２２０は、情報圧縮部１２０によって情報量が圧縮された情報を伸張して、その情報量を増加させる処理を行う。
【００６２】
送信部２３０は、情報伸張部２２０によって情報量が伸張された情報を第２の伝送路４００を介して送信する処理を行う。
【００６３】
情報伸張部２２０は、例えば公知のText-to-Speech技術により、受信部２１０によって受信処理されたテキスト情報を音声情報に変換し、送信部２３０が第２の伝送路４００を介して音声情報の送信処理を行ってもよい。
【００６４】
また図７に示すように、情報伸張部２２０は、第１の通信端末１００から第１の伝送路３００を介して受信した生体情報に、該生体情報の検出時間である時間情報を付加する処理を行ってもよい。即ち、第１の通信端末１００が、送信すべき情報として生体情報を検出し、該生体情報を所定時間内で集計することで情報量を圧縮する。そして第２の通信端末２００が、情報伸張部２２０において第１の通信端末１００からの情報に時間情報を付加することで情報の伸張を行うことができる。
【００６５】
或いは第１の通信端末１００が、図８（Ａ）に示すように所与の座標系において指定された座標情報を第１の伝送路３００を介して第２の通信端末２００に対して送信し、第２の通信端末１００の情報伸張部２２０が、該座標情報に基づいて生成した画像の画像情報を第２の伝送路４００を介して送信するようにしてもよい。この場合、情報伸張部２２０は、図８（Ｂ）に示すように、図８（Ａ）の座標情報で指定された位置を直線で結んだ画像を生成することで情報量を多くすることができる。
【００６６】
図９に、図６の第２の通信端末２００の動作フローの一例を示す。
【００６７】
第２の通信端末２００は、図示しないＣＰＵ及びメモリを有し、該メモリに記憶されたプログラムを実行するＣＰＵが以下のフローを実現する。
【００６８】
まず、受信部２１０において第１の伝送路３００を介して情報が受信されたか否かの監視を行い（ステップＳ３０：Ｎ）、第１の伝送路３００を介して情報が受信されたことが検出されたとき（ステップＳ３０：Ｙ）、情報伸張部２２０において上述のように受信情報の情報量の伸張処理が行われる（ステップＳ３１）。
【００６９】
その後、送信部２３０が第２の伝送路４００を介して図示しない基地局、交換機、或いはサーバを介して他の携帯電話機等との間の通信経路の確立を行うための処理を行い（ステップＳ３２）、情報伸張部２２０において情報量が伸張された情報を送信情報として第２の伝送路４００を介し送信する処理行った後（ステップＳ３３）、ステップＳ３０に戻る（リターン）。
【００７０】
このような処理を行う第２の通信端末２００として、例えば携帯電話機を採用できる。
【００７１】
図１０に、図６の第２の通信端末２００としての携帯電話機５１０のハードウェア構成例を示す。
【００７２】
携帯電話機５１０は、アンテナ５１１、５１２、変復調部５１３、５１４、表示部５１５、操作入力部５１６、電話部５１７、制御部５１８を含む。
【００７３】
制御部５１８は、変復調部５１３、５１４、表示部５１５、操作入力部５１６、電話部５１７の制御を司る。このような制御部５１８は図示しないＣＰＵ及びメモリを有し、該メモリに記憶されたプログラムを実行するＣＰＵが各部を制御するようになっている。
【００７４】
第１の伝送路３００からの信号はアンテナ５１１で受信され、変復調部５１３に供給される。この変復調部５１３は、第１の伝送路３００を介してアンテナ５１１から送信する信号の復調処理を行うようになっている。またアンテナ５１１を介して、変復調部５１３からの信号を第１の伝送路３００を介して送信できる。この場合、変復調部５１３は、第１の伝送路３００を介して送信する信号の変調処理を行うようになっている。
【００７５】
またアンテナ５１２を介して、変復調部５１４からの信号を第２の伝送路４００を介して送信できる。この変復調部５１４は、第２の伝送路４００を介して送信する信号の変調処理を行うようになっている。更に第２の伝送路４００からの信号はアンテナ５１２で受信され、変復調部５１４に供給される。この変復調部５１４は、第２の伝送路３００を介してアンテナ５１２から送信する信号の復調処理を行うようになっている。
【００７６】
制御部５１８は、アンテナ５１１を介して受信された信号から、所定の音声情報を抽出して電話部５１７に出力したり、該信号から所定の画像情報を抽出して表示部５１５に出力したりする。また制御部５１８は、Text-to-Speech技術により、テキスト情報を音声情報に変換し、変換後の音声情報を送信信号として変復調部５１４に出力し、アンテナ５１２を介して送信できる。
【００７７】
電話部５１７は、携帯電話機としての発呼処理、着呼処理を行う。表示部５１５は、ＬＣＤパネルを有し、制御部５１８からの制御信号に基づいて表示駆動される。
【００７８】
このような制御部５１８は、操作入力部５１６からの入力指示に対応した制御を行うことができるようになっている。
【００７９】
ここで制御部５１８が、図６における情報伸張部２２０の機能を実現できる。またアンテナ５１１及び変復調部５１３が、図６における受信部２１０としての機能を実現し、アンテナ５１２及び変復調部５１４が、図６における送信部２３０としての機能を実現する。
【００８０】
図１１に、本実施形態の第１及び第２の通信端末１００、２００による通信処理のシーケンスの一例を示す。
【００８１】
まず第１の通信端末１００が、上述のように生体情報の検出を行って送信情報の生成７００を行う。この送信情報は、第１の通信端末１００において集計等が行われて情報量の圧縮処理７１０が行われて、圧縮処理後の情報７２０が第１の伝送路３００を介して第２の通信端末２００に送信される。
【００８２】
第２の通信端末２００は、第１の通信端末１００からの情報の伸張処理７３０を行って、伸張処理後の情報を第２の伝送路４００を介して他の端末に送信できるようになっている。
【００８３】
以上説明したように、第１の通信端末１００が第２の通信端末２００に代行して生体情報の検出等を行うと共に、該生体情報を受信した第２の通信端末２００が情報の整形を行って、第２の伝送路４００を介して送信できる。これにより、第１の通信端末１００は、超低消費電力の通信機能及び通知機能等の必要最小限の機能のみを備えさせるだけでよいので、第１の通信端末１００の本来の商品としての価値を低下させることなく、使い勝手の良い通信システム及び通信端末を提供できるようになる。
【００８４】
なお第１の通信端末１００は、第１の伝送路３００を介した送信機能のみを有していてもよい。また第２の通信端末２００は、第２の伝送路４００を介した送信機能及び受信機能の他に、第１の伝送路３００を介した受信機能のみを有していてもよい。また第２の通信端末２００は、第１の伝送路４００を介した受信機能のみを有していてもよい。なおこの場合であっても、第１及び第２の通信端末１００、２００は、通信路を確立するための最低限の受信機能及び送信機能を有してもよい。
【００８５】
なお、本発明は上述した実施の形態に限定されるものではなく、本発明の要旨の範囲内で種々の変形実施が可能である。例えば第１の通信端末１００として主として腕時計を例に説明したが、本発明がこれに限定されるものではない。また例えば第２の通信端末２００として主として携帯電話機を例に説明したが、本発明がこれに限定されるものではない。
【００８６】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【００８７】
【図１】本実施形態の通信システムの構成の概要を示す図。
【図２】図１の通信システムの使用形態の一例の説明図。
【図３】図１の第１の通信端末の構成の概要を示すブロック図。
【図４】図３の第１の通信端末の動作フローの一例を示す図。
【図５】第１の通信端末としての腕時計のハードウェア構成例を示す図。
【図６】図１の第２の通信端末の構成の概要を示すブロック図。
【図７】図６の情報伸張部の処理の一例の説明図。
【図８】図８（Ａ）、図８（Ｂ）は図６の情報伸張部の処理の他の例の説明図。
【図９】図６の第２の通信端末の動作フローの一例を示す図。
【図１０】第２の通信端末としての携帯電話機のハードウェア構成例を示す図。
【図１１】本実施形態の第１及び第２の通信端末による通信処理のシーケンスの一例を示す図。
【符号の説明】
【００８８】
１０  通信システム、  １２  大容量通信網、  １４  小容量通信網、
１００  第１の通信端末、  １１０  送信情報生成部、  １２０  情報圧縮部、
１３０、２３０  送信部、  ２００  第２の通信端末、  ２１０  受信部、
２２０  情報伸張部、  ３００  第１の伝送路、  ４００  第２の伝送路
【図１】
2007074509.tif 000003
【図２】
2007074509.tif 000004
【図３】
2007074509.tif 000005
【図４】
2007074509.tif 000006
【図５】
2007074509.tif 000007
【図６】
2007074509.tif 000008
【図７】
2007074509.tif 000009
【図８】
2007074509.tif 000010
【図９】
2007074509.tif 000011
【図１０】
2007074509.tif 000012
【図１１】
2007074509.tif 000013